(57)【特許請求の範囲】
【請求項１】
複数のディスプレイを縦横に並べて複数の小画面からなる１の大画面を構成し、入力画像を前記大画面の全体に表示するマルチディスプレイ表示機能を有し、
前記複数のディスプレイのうち２以上のディスプレイがタッチパネルを備えたタッチディスプレイであり、
指定された前記タッチディスプレイのタッチ入力の受け付けを許可するタッチ入力許可部と、
前記タッチ入力の結果に応じた前記入力画像を前記複数のディスプレイに出力する入力画像出力部と、
前記複数のディスプレイのそれぞれについて、前記入力画像を前記小画面の全体に表示する通常表示を行うべきか、または前記入力画像を前記大画面の全体に表示するマルチディスプレイ表示を行うべきかを決定する表示決定部と、
前記タッチ入力許可部、前記入力画像出力部および前記表示決定部を制御する制御部とを備え、
前記制御部は、前記タッチディスプレイが指定されたとき、前記タッチディスプレイが前記マルチディスプレイ表示に係る前記入力画像を表示していた場合は、前記表示決定部を制御して前記タッチディスプレイに前記通常表示に係る前記入力画像を表示させ、前記タッチ入力許可部に前記タッチディスプレイのタッチ入力の受け付けを許可させ、前記入力画像出力部に前記タッチ入力の結果に応じた前記入力画像を前記複数のディスプレイに出力させ、
前記タッチ入力許可部が前記タッチディスプレイのタッチ入力の受け付けを許可した後、別の前記タッチディスプレイが新たに指定されたとき、前記制御部は、前記タッチ入力許可部を制御して、前記タッチ入力の受け付けを許可した前記タッチディスプレイのタッチ入力の受け付けを終了させ、新たに指定された前記タッチディスプレイのタッチ入力の受け付けを許可させることを特徴とするマルチディスプレイシステム。
【請求項２】
予め定められたタッチ入力終了指令を受け付ける入力部をさらに備え、
前記制御部は、前記タッチ入力終了指令を受け付けたとき、前記タッチ入力許可部にタ
ッチ入力の受け付けを終了させ、前記表示決定部を制御して前記タッチディスプレイに前記マルチディスプレイ表示に係る前記入力画像を表示させる、請求項１に記載のマルチディスプレイシステム。
【請求項３】
前記タッチ入力の受け付けが可能な前記タッチディスプレイを報知する報知部をさらに備えた、請求項１または２に記載のマルチディスプレイシステム。
【発明の詳細な説明】
【技術分野】
【０００１】
この発明は、マルチディスプレイシステムおよびディスプレイに関する。
【背景技術】
【０００２】
現在、大画面表示装置として、複数の表示装置（ディスプレイ）を縦および／または横方向に並べて配置し、一つの大画面を構成するマルチディスプレイ型のものが広く普及している。マルチディスプレイは、大画面での迫力のある映像ゆえに遠くからでも人目を引きつける効果があるため、デパートやショップなどでのデジタルサイネージ（電子看板）等の用途に用いられている（例えば、非特許文献１および２を参照）。
【０００３】
従来、このようなマルチディスプレイにおいては、大画面中に小画面を表示するピクチャー・イン・ピクチャー（ＰＩＰ：Picture in Picture）表示や、大画面を２つの小画面に分割表示するピクチャー・バイ・ピクチャー（ＰｂｙＰ：Picture by Picture）表示など、用途に応じた多様な表示方式が提案されている。このような多様な表示方式を活用することにより、複数コンテンツの同時提示や状況にあわせたタイムリーなコンテンツの提示など、効果的な広告効果が期待できる。
【０００４】
一方、近年のタッチパネル付きディスプレイの普及により、マルチディスプレイを構成する一部または全てのディスプレイにタッチパネル付きディスプレイを使用したマルチディスプレイシステムが見られるようになってきている。
例えば、大画面の全体にマルチディスプレイ表示していた映像を、視聴者がタッチしたディスプレイの画面の全体に表示し、視聴者がタッチしていないディスプレイはマルチディスプレイ表示を継続するマルチディスプレイシステムが提案されている（例えば、特許文献１および２を参照）。このようなマルチディスプレイシステムにより、タッチ入力した視聴者およびディスプレイから遠く離れた場所にいる視聴者のいずれにも最適なサイズの画面で映像コンテンツを提供できると共に、より詳細な情報が欲しい視聴者に対してインタラクティブコンテンツを提供することができる。
【先行技術文献】
【特許文献】
【０００５】
【特許文献１】特開２００９−２９５０１６号公報
【特許文献２】特開２０１２−０７９１９４号公報
【非特許文献】
【０００６】
【非特許文献１】"マルチサイネージ（１８面マルチディスプレイ）|シャープディスプレイソリューション ウェブショールーム"、[online]、[平成２６年４月２８日検索]、インターネット〈ＵＲＬ：http://www.sharp.co.jp/business/btob_showroom/ws/multi/multidisplay18.html〉
【非特許文献２】"PN-V601A｜インフォメーションディスプレイ｜法人のお客様へ（BtoB）：シャープ"、[online]、[平成２６年４月２８日検索]、インターネット〈ＵＲＬ：http://www.sharp.co.jp/business/lcd-display/lineup/pnv601a_feature.html〉
【発明の概要】
【発明が解決しようとする課題】
【０００７】
このようなタッチパネル付きディスプレイを含む従来のマルチディスプレイシステムにおいては、一人の視聴者のタッチ操作が大画面全体の表示に影響を及ぼして他の多数の視聴者に迷惑を与えないようにするため、視聴者がタッチしたディスプレイにのみ操作結果を反映するようにしていた。
【０００８】
しかしながら、例えば、大人数向けのプレゼンテーションや講演会、大学の講義、大規模な研修または展示会やイベントのデモ等においては、入力者のタッチ入力の内容を多数の視聴者に表示させたい状況が少なくない。
このような状況においては、入力者がタッチしたディスプレイの画面のみにタッチ入力結果を表示すると、ディスプレイから遠く離れた場所にいる視聴者には、タッチ入力した文字が小さくて見えにくいことがある。また、入力者がタッチしたディスプレイがマルチディスプレイの下のほうにある場合、タッチ入力の内容が前の視聴者に隠れて見えないことがある。
【０００９】
一方、大画面の全体にタッチ入力できるようにしたとしても、入力者の手が上のほうのディスプレイまで届かない場合や大画面の横幅が広い場合、入力者がタッチできる範囲が限られてしまうという問題がある。
【００１０】
この発明は、以上のような事情を考慮してなされたものであって、その目的は、マルチディスプレイを構成する小画面でのタッチ入力を可能にしつつ、マルチディスプレイの大画面にタッチ入力結果を反映させるマルチディスプレイシステムを提供することにある。
【課題を解決するための手段】
【００１１】
この発明は、複数のディスプレイを縦横に並べて複数の小画面からなる１の大画面を構成し、入力画像を前記大画面の全体に表示するマルチディスプレイ表示機能を有し、前記複数のディスプレイのうち１以上のディスプレイがタッチパネルを備えたタッチディスプレイであり、指定された前記タッチディスプレイのタッチ入力の受け付けを許可するタッチ入力許可部と、前記タッチ入力の結果に応じた前記入力画像を前記複数のディスプレイに出力する入力画像出力部と、前記複数のディスプレイのそれぞれについて、前記入力画像を前記小画面の全体に表示する通常表示を行うべきか、または前記入力画像を前記大画面の全体に表示するマルチディスプレイ表示を行うべきかを決定する表示決定部と、前記タッチ入力許可部、前記入力画像出力部および前記表示決定部を制御する制御部とを備え、前記制御部は、前記タッチディスプレイが指定されたとき、前記タッチディスプレイが前記マルチディスプレイ表示に係る前記入力画像を表示していた場合は、前記表示決定部を制御して前記タッチディスプレイに前記通常表示に係る前記入力画像を表示させ、前記タッチ入力許可部に前記タッチディスプレイのタッチ入力の受け付けを許可させ、前記入力画像出力部に前記タッチ入力の結果に応じた前記入力画像を前記複数のディスプレイに出力させることを特徴とするマルチディスプレイシステムを提供するものである。
【発明の効果】
【００１２】
この発明によれば、タッチ入力時に指定したタッチパネル付きディスプレイのマルチディスプレイ表示を解除してタッチ入力し、タッチ入力後にマルチディスプレイ表示に戻すことによって、マルチディスプレイを構成する小画面でのタッチ入力を可能にしつつ、マルチディスプレイの大画面にタッチ入力結果を反映させるマルチディスプレイシステムを実現できる。
【図面の簡単な説明】
【００１３】
【図１】この発明のマルチディスプレイシステムの概略構成を示すブロック図である。（実施形態１）
【図２】図１のマルチディスプレイを構成する複数のディスプレイのデイジーチェーン接続の一例を示す説明図である。（実施形態１）
【図３】図１のマルチディスプレイシステムの構成の一部を示すブロック図である。（実施形態１）
【図４】この発明のタッチパネル付きディスプレイの処理を示すフローチャートである。（実施形態１）
【図５】この発明のタッチパネル付きディスプレイの処理を示すフローチャートである。（実施形態１）
【図６】この発明のタッチパネル付きディスプレイの処理を示すフローチャートである。（実施形態１）
【図７】この発明のタッチパネルなしディスプレイの処理を示すフローチャートである。（実施形態１）
【図８】別のディスプレイからのタッチ座標データ受信時の処理を示すフローチャートである。（実施形態１）
【図９】この発明のタッチパネル付きディスプレイのタッチ機能使用中の処理を示すフローチャートである。（実施形態１）
【図１０】この発明のマルチディスプレイシステムの動作の一例を示す説明図である。（実施形態１）
【図１１】この発明のマルチディスプレイシステムの動作の一例を示す説明図である。（実施形態１）
【図１２】この発明のマルチディスプレイシステムの動作の一例を示す説明図である。（実施形態１）
【図１３】この発明のマルチディスプレイシステムの動作の一例を示す説明図である。（実施形態１）
【図１４】この発明のタッチパネル付きディスプレイの処理を示すフローチャートである。（実施形態２）
【図１５】この発明のタッチ機能有効状態変化通知処理を示すフローチャートである。（実施形態２）
【図１６】タッチパネル付きディスプレイの別のディスプレイからのタッチ座標データ受信時の処理を示すフローチャートである。（実施形態２）
【図１７】タッチ機能有効ディスプレイの切り替え動作の一例を示す説明図である。（実施形態２）
【発明を実施するための形態】
【００１４】
以下、図面を用いてこの発明をさらに詳述する。なお、以下の説明は、すべての点で例示であって、この発明を限定するものと解されるべきではない。
【００１５】
（実施形態１）
＜マルチディスプレイシステム１の構成＞
この発明の実施形態１に係るマルチディスプレイシステム１について説明する。
マルチディスプレイシステム１は、複数のディスプレイを縦および／または横方向に並べて配置することによって複数の画面からなる１つの大画面（マルチディスプレイ）を構成し、マルチディスプレイ全体に映像を表示させることによって大画面表示を実現するシステムである。
【００１６】
ここで、「大画面」は、複数の表示装置（ディスプレイ）を縦横に並べた全体を一つの画面と見なしたときの表現であり、小画面は大画面を構成する一以上の画面を一つの画面と見なしたときの表現である。小画面は大画面を構成する一以上のディスプレイに大画面と独立した内容を表示するものである。よって、小画面が表示されているときは、小画面と重複する位置に大画面の内容は表示されない。
【００１７】
以下、図１〜図３に基づき、この発明のマルチディスプレイシステム１の構成を説明する。
図１は、この発明のマルチディスプレイシステム１の概略構成を示すブロック図である。図２は、図１のマルチディスプレイを構成する複数のディスプレイのデイジーチェーン接続の一例を示す説明図である。図３は、図１のマルチディスプレイシステム１の構成の一部を示すブロック図である。
【００１８】
図１に示すように、この発明のマルチディスプレイシステム１は、マルチディスプレイ１０、タッチパネル制御機能付き映像出力装置（以下、映像出力装置２０）、およびタッチペン３０を備える。
【００１９】
実施形態１において、この発明の「タッチ入力許可部」は、ディスプレイ制御部１００および、通信部１０３またはタッチ操作検出部１０７１の協働によって実現し、また、この発明の「入力画像出力部」は、ディスプレイ制御部１００、タッチパネル１０７、タッチパネル通信部１０６または通信部１０３、および映像出力装置２０の協働によって実現し、また、この発明の「表示決定部」は、ディスプレイ制御部１００、表示部１０２、および映像入出力部１０５の協働によって実現し、また、この発明の「制御部」は、ディスプレイ制御部１００およびタッチパネル制御部２００の協働によって実現する。
【００２０】
実施形態１に係るマルチディスプレイ１０は、横方向に３つ、縦方向に３つの計９つのディスプレイ１１〜１９から構成される。
マルチディスプレイ１０を構成する９つのディスプレイ１１〜１９のうち３つは、タッチパネル付きディスプレイ１１〜１３であってマルチディスプレイ１０の最下段を構成し、残りの６つは、タッチパネルなしディスプレイ１４〜１９であってマルチディスプレイ１０の中段および最上段を構成する。
【００２１】
マルチディスプレイ１０と映像出力装置２０とは、座標データ通信ケーブル４１およびＤＶＩケーブルなどの映像出力ケーブル４２を介して接続されている。映像出力装置２０から出力された出力映像２０００は、マルチディスプレイ１０の大画面全体に画像１０００として大画面の全体に表示される。
【００２２】
ここで、図１の画像１０００に示すように、映像出力装置２０から出力された画像２０００を複数のディスプレイ１１〜１９から構成されるマルチディスプレイ１０の「大画面」全体に表示することを「エンラージ（enlarge）表示」と呼ぶことにする。
【００２３】
また、図１０（Ｃ）の画像１００１に示すように、ディスプレイ１１〜１９のいずれかについて、「大画面」全体への画像１０００の表示をやめて、「小画面」に画像１００１を表示させることを、そのディスプレイ１１〜１９についての「エンラージ表示の解除」と呼ぶことにする。
【００２４】
図２に示すように、ディスプレイ１１〜１９は、座標データ通信ケーブル４１および映像出力ケーブル４２をデイジーチェーン方式で接続することによって互いに接続されている。
【００２５】
映像出力装置２０は、座標データ通信ケーブル４１を通じて、タッチパネル付きディスプレイ１１〜１３から入力されたタッチ操作検出時のタッチ座標データを取得し、映像出力ケーブル４２を通じて、ディスプレイ１１〜１９に映像信号を出力する。
【００２６】
タッチペン３０は、操作ボタン３０１および図示しない無線送信部３０２を備え、ペン先をタッチパネル付きディスプレイ１１〜１３にタッチして、アイコンの選択による指示や描画等を行う。
タッチペン３０の操作ボタン３０１が押されたとき、タッチパネル付きディスプレイ１１〜１３に対し、無線送信部３０２を介してタッチパネル付きディスプレイ１１〜１３の通信部１０３に予め定められた信号を送信する。
【００２７】
図３は、図１に示すマルチディスプレイシステム１のうち、マルチディスプレイ１０の最左列部分（タッチパネル付きディスプレイ１１、タッチパネルなしディスプレイ１４および１７）と映像出力装置２０とを示す。
【００２８】
図３に示すように、タッチパネル付きディスプレイ１１は、ディスプレイ制御部１００、記憶部１０１、表示部１０２、通信部１０３、操作部１０４、映像入出力部１０５、タッチパネル通信部１０６およびタッチパネル１０７を備える。
タッチパネル１０７は、タッチ操作検出部１０７１、タッチ座標データ取得部１０７２およびタッチ座標データ出力部１０７３を備える。
その他のタッチパネル付きディスプレイ１２および１３も、タッチパネル付きディスプレイ１１と同様の構成を有する。
【００２９】
タッチパネルなしディスプレイ１４は、ディスプレイ制御部１００、記憶部１０１、表示部１０２、通信部１０３、操作部１０４および映像入出力部１０５を備える。
その他のタッチパネルなしディスプレイ１５〜１９も、タッチパネルなしディスプレイ１４と同様の構成を有する。
【００３０】
映像出力装置２０は、タッチパネル制御部２００および映像出力部２０１を備える。
タッチパネル制御部２００は、座標データ通信ケーブル４１を通じて、タッチパネル付きディスプレイ１１に直接接続される。
映像出力部２０１は、映像出力ケーブル４２を通じて、タッチパネル付きディスプレイ１１に直接接続される。
【００３１】
タッチパネル付きディスプレイ１１は、通信部１０３を介して、他のタッチパネル付きディスプレイ１２、１３およびタッチパネルなしディスプレイ１２〜１９と座標データ通信ケーブル４１をデイジーチェーン接続する。
また、タッチパネル付きディスプレイ１１は、タッチパネル通信部１０６を介して、他のタッチパネル付きディスプレイ１２、１３およびタッチパネルなしディスプレイ１２〜１９と映像出力ケーブル４２をデイジーチェーン接続する。
【００３２】
次に、図３に示す各構成要素を説明する。
【００３３】
ディスプレイ制御部１００は、マイクロプロセッサ(Microprocessor)を主体とする回路であり、ディスプレイの各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
また、ディスプレイ制御部１００は、他のディスプレイ制御部１００と協働して、マルチディスプレイ１０全体の制御を行う。
【００３４】
記憶部１０１は、制御プログラムやログ情報、ユーザー設定情報、システム情報用の固定テキストなど、ディスプレイ１１〜１９の各種機能を実現するために必要な情報を格納する部分である。記憶部１０１としては、例えば、ＲＡＭやＲＯＭ等の半導体素子、ハードディスク、フラッシュメモリー等の記憶媒体が用いられる。
【００３５】
表示部１０２は、入力された映像信号の表示を行う部分である。表示部１０２は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニタなどの表示装置である。
【００３６】
通信部１０３は、座標データ通信ケーブル４１を通じてディスプレイ１１〜１９間で相互に通信を行い、情報データおよび制御コマンドの送受信を可能とする部分である。
また、タッチペン３０の無線送信部３０２から送信された無線信号を受信する部分である。
例えば、双方向での通信が可能なＲＳ−２３２Ｃ、ＵＳＢ、ＬＡＮなどが用いられる。
【００３７】
操作部１０４は、ディスプレイ１１〜１９を操作するためのインターフェースである。ユーザーは、リモコンやディスプレイ本体のキー操作を通じて、ディスプレイ１１〜１９に対する指示を実行する。
また、タッチパネル付きディスプレイ１１〜１３の場合、表示部１０２へのタッチ操作やタッチペン３０の操作ボタン３０１を通じて操作を行うものであってもよい。
【００３８】
映像入出力部１０５は、映像出力ケーブル４２を介して映像出力装置２０から入力された映像信号をディスプレイ１１〜１９に入力する部分である。
また、映像出力ケーブル４２をディスプレイ１１〜１９間でデイジーチェーン接続することによって、映像信号の入出力を行う。
【００３９】
タッチパネル通信部１０６は、座標データ通信ケーブル４１を通じてディスプレイ１１〜１９のタッチ位置情報を映像出力装置２０のタッチパネル制御部２００に出力する部分である。
映像出力装置２０に直接接続されていないディスプレイ１２〜１９がタッチ位置情報を取得した場合は、ディスプレイ制御部１００にタッチ位置情報を出力し、通信部１０３を介して、映像出力装置２０に直接接続されたタッチパネル付きディスプレイ１１のタッチパネル通信部１０６にタッチ位置情報を送信する。
【００４０】
タッチパネル１０７は、表示部１０２の表示面に設けられ、タッチペン３０のペン先やユーザーの指先等のタッチ操作を検出し、タッチ座標データを取得して出力する部分である。
【００４１】
タッチ操作検出部１０７１は、タッチパネル１０７へのタッチ操作を検出する部分である。
【００４２】
タッチ操作の検知方式としては、電圧を検知する抵抗膜方式、静電容量の変化を検知する静電容量方式、赤外光を遮断して検知する光学方式、超音波を検知する超音波方式、電子ペンを指示体として用いる電磁誘導方式などのいずれの方式であってもよい。また、赤外線等を用いて指先等の位置を非接触で感知できる方式であってもよい。
【００４３】
タッチ座標データ取得部１０７２は、タッチ操作検出部１０７１が検出したタッチペン３０等のタッチ位置のタッチ座標データを通信可能なタッチ座標データとして取得する部分である。
タッチ座標データの取得のタイミングとしては、例えば、５００ｍｓ間隔で行われる。
【００４４】
タッチ座標データ出力部１０７３は、タッチ座標データ取得部１０７２が取得したタッチ座標データを映像出力装置２０のタッチパネル制御部２００に出力する部分である。
タッチ座標データ出力部１０７３からタッチパネル制御部２００へのタッチ座標データの出力方法としては、タッチ操作を検出したタッチパネル付きディスプレイ１１〜１３が映像出力装置２０に接続されている場合は、タッチパネル通信部１０６から直接映像出力装置２０にタッチ座標データを出力する。
【００４５】
一方、タッチ操作を検出したタッチパネル付きディスプレイ１１〜１３が映像出力装置２０に接続されていない場合は、タッチパネル通信部１０６から通信部１０３を経て、別のタッチパネル付きディスプレイ１１〜１３のタッチパネル通信部１０６から映像出力装置２０にタッチ座標データを出力する。
【００４６】
タッチパネル制御部２００は、タッチパネル付きディスプレイ１１〜１３から受信したタッチ座標データに基づく画像を映像出力部２０１からの出力される入力画像に反映させる部分である。
具体的には、指定されたタッチパネル付きディスプレイ１１〜１３がタッチ座標データを検出した後、座標データ通信ケーブル４１を介してタッチ座標データを映像出力装置２０に送信させ、映像出力部２０１にタッチ座標データに対応する入力画像の座標位置に画像を描写させる。
例えば、タッチパネル付きディスプレイ１１〜１３にタッチペン３０で「Ｓ」の文字を書いた場合、タッチパネル制御部２００は、当該タッチパネル付きディスプレイ１１〜１３のタッチ座標データに基づき、「Ｓ」の画像を映像出力部２０１から出力される画像に反映させる。
【００４７】
映像出力部２０１は、動画や静止画などの画像に係る信号を出力してディスプレイ１１〜１９に入力する部分である。
【００４８】
＜タッチパネル付きディスプレイ１１〜１３の処理の流れ＞
次に、図４〜図６に基づき、タッチパネル付きディスプレイ１１〜１３の処理の流れについて説明する。
図４〜図６は、この発明のタッチパネル付きディスプレイ１１〜１３の処理を示すフローチャートである。
【００４９】
図４のステップＳ１において、ディスプレイ制御部１００は、別のタッチパネル付きディスプレイ１１〜１３からのタッチ位置のタッチ座標データを受信したか否かを判定する（ステップＳ１）。
【００５０】
ステップＳ１において、別のタッチパネル付きディスプレイ１１〜１３からのタッチ座標データを受信した場合（ステップＳ１の判定がＹｅｓの場合）、ディスプレイ制御部１００は、ステップＳ２において、別のディスプレイからのタッチ座標データ受信時の処理を行う（ステップＳ１２）。その後、ディスプレイ制御部１００は、ステップＳ３の処理を行う。
【００５１】
別のディスプレイからのタッチ座標データ受信時の処理は、別のタッチパネル付きディスプレイ１１〜１３が取得したタッチ座標データを映像出力装置２０のタッチパネル制御部２００に出力する処理である。別のディスプレイからのタッチ座標データ受信時の処理の詳細については後述する。
【００５２】
一方、ステップＳ１において、別のタッチパネル付きディスプレイ１１〜１３からのタッチ座標データを受信していない場合（ステップＳ１の判定がＮｏの場合）、ディスプレイ制御部１００は、ステップＳ３の処理を行う。
【００５３】
次に、ステップＳ３において、開始操作通知を受信したか否かを判定する（ステップＳ３）。
ステップＳ３において、開始操作通知を受信した場合（ステップＳ３の判定がＹｅｓの場合）、ディスプレイ制御部１００は、ステップＳ４の処理を行う（ステップＳ４）。
一方、開始操作通知を受信していない場合（ステップＳ３の判定がＮｏの場合）、ディスプレイ制御部１００は、ステップＳ１の判定を繰り返す（ステップＳ１）。
【００５４】
このように、別のタッチパネル付きディスプレイ１１〜１３からのタッチ座標データの受信処理を可能にしておくことで、ディスプレイ制御部１００は、開始操作通知の受信待機中に、別のタッチパネル付きディスプレイ１１〜１３が取得したタッチ座標データを映像出力装置２０のタッチパネル制御部２００に出力することができる。
【００５５】
次に、ステップＳ４において、タッチパネル付きディスプレイ１１〜１３のディスプレイ制御部１００は、通信部１０３が別のディスプレイからのタッチ座標データを受信したか否かを判定する（ステップＳ４）。
【００５６】
ステップＳ４において、別のディスプレイからのタッチ座標データを受信した場合（ステップＳ４の判定がＹｅｓの場合）、ディスプレイ制御部１００は、ステップＳ５において、別のディスプレイからのタッチ座標データ受信時の処理を行う（ステップＳ５）。
その後、ディスプレイ制御部１００は、ステップＳ６の処理を行う。
【００５７】
一方、ステップＳ４において、別のディスプレイからのタッチ座標データを受信していない場合（ステップＳ４の判定がＮｏの場合）、ディスプレイ制御部１００は、ステップＳ６の判定を行う（ステップＳ６）。
【００５８】
次に、ステップＳ６において、ディスプレイ制御部１００は、終了操作通知を受信したか否かを判定する（ステップＳ１６）。
【００５９】
ステップＳ６において、終了操作通知を受信した場合（ステップＳ６の判定がＹｅｓの場合）、ディスプレイ制御部１００は、タッチパネル付きディスプレイ１１〜１３の処理を終了させる。
一方、終了操作通知を受信していない場合（ステップＳ６の判定がＮｏの場合）、ディスプレイ制御部１００は、図５のステップＳ７の判定を行う（ステップＳ７）。
【００６０】
このように、開始操作通知受信後のタッチ操作待機状態においても、別のタッチパネル付きディスプレイ１１〜１３からのタッチ座標データの受信処理を可能にしておく。
【００６１】
次に、図５のステップＳ７において、ディスプレイ制御部１００は、タッチパネル１０７のタッチ操作検出部１０７１がタッチペン３０等によるタッチ操作を検出したか否かを判定する（ステップＳ７）。
タッチパネル１０７のタッチ操作検出部１０７１がタッチペン３０等によるタッチ操作を検出した場合（ステップＳ７の判定がＹｅｓの場合）、ディスプレイ制御部１００は、ステップＳ８において、タッチ操作を検出したディスプレイについて、エンラージ表示を解除する（ステップＳ８）。
【００６２】
一方、タッチパネル１０７のタッチ操作検出部１０７１がタッチペン３０等によるタッチ操作を検出していない場合（ステップＳ７の判定がＮｏの場合）、ディスプレイ制御部１００は、ステップＳ４の判定を行う（ステップＳ４）。
【００６３】
続いて、ステップＳ９において、ディスプレイ制御部１００は、タッチ座標データ出力部１０７３にタッチ操作検出時のタッチ座標データの出力を有効にさせる（ステップＳ９）。
【００６４】
次に、ステップＳ１０において、ディスプレイ制御部１００は、通信部１０３が別のタッチパネルディスプレイ１１〜１３からのタッチ座標データを受信したか否かを判定する（ステップＳ１０）。
別のタッチパネル付きディスプレイ１１〜１３からのタッチ座標データを受信した場合（ステップＳ１０の判定がＹｅｓの場合）、ディスプレイ制御部１００は、ステップＳ１１において別のディスプレイからのタッチ座標データ受信時の処理を行う（ステップＳ２１）。
その後、ディスプレイ制御部１００は、図６のステップＳ１２の判定を行う（ステップＳ１２）。
【００６５】
一方、ステップＳ１０において、別のタッチパネル付きディスプレイ１１〜１３からのタッチ座標データを受信していない場合（ステップＳ１０の判定がＮｏの場合）、ディスプレイ制御部１００は、図６のステップＳ１２の判定を行う（ステップＳ１２）。
【００６６】
次に、図６のステップＳ１２において、ディスプレイ制御部１００は、通信部１０３が予め定められた終了操作通知を受信したか否かを判定する（ステップＳ１２）。
【００６７】
次に、ステップＳ１２において、通信部１０３が終了操作通知を受信した場合（ステップＳ１２の判定がＹｅｓの場合）、ディスプレイ制御部１００は、ステップＳ１３において、タッチ座標データ出力部１０７３にタッチ操作検出時のタッチ座標データの出力を無効にさせる（ステップＳ１３）。
その後、ディスプレイ制御部１００は、ステップＳ１４においてエンラージ機能を解除し（ステップＳ１４）、タッチパネル付きディスプレイ１１〜１３の処理を終了させる。
【００６８】
一方、ステップＳ１２において、通信部１０３が終了操作通知を受信していない場合（ステップＳ１２の判定がＮｏの場合）、ディスプレイ制御部１００は、ステップＳ１５において、タッチ機能使用中の処理を行う（ステップＳ１５）。
なお、タッチ機能使用中の処理の詳細については後述する。
その後、ディスプレイ制御部１００は、ステップＳ１０の判定を行う（ステップＳ１０）。
【００６９】
＜タッチパネルなしディスプレイ１４〜１９の処理の流れ＞
次に、図７に基づき、タッチパネルなしディスプレイ１４〜１９の処理の流れについて説明する。
図７は、この発明のタッチパネルなしディスプレイ１４〜１９の処理を示すフローチャートである。
【００７０】
図７のステップＳ２１において、タッチパネルなしディスプレイ１４〜１９のディスプレイ制御部１００は、通信部１０３が別のディスプレイ１１〜１９からのタッチ座標データを受信したか否かを判定する（ステップＳ２１）。
【００７１】
ステップＳ２１において、別のディスプレイ１１〜１９からのタッチ座標データを受信した場合（ステップＳ２１の判定がＹｅｓの場合）、ディスプレイ制御部１００は、ステップＳ２２において別のディスプレイからのタッチ座標データ受信時の処理を行う（ステップＳ２２）。
その後、ディスプレイ制御部１００は、ステップＳ２１の判定を繰り返す（ステップＳ２１）。
【００７２】
一方、ステップＳ２１において、別のディスプレイ１１〜１９からのタッチ座標データを受信していない場合（ステップＳ２１の判定がＮｏの場合）、ディスプレイ制御部１００は、ステップＳ２１の判定を繰り返す（ステップＳ２１）。
【００７３】
このように、タッチパネルなしディスプレイ１４〜１９は、別のディスプレイ１１〜１９からのタッチ座標データを受信したとき、タッチ座標データ受信時の処理を行う。
【００７４】
＜別のディスプレイ１１〜１９からのタッチ座標データ受信時の処理＞
次に、図８に基づき、別のディスプレイ１１〜１９からのタッチ座標データ受信時の処理について説明する。
図８は、別のディスプレイ１１〜１９からのタッチ座標データ受信時の処理を示すフローチャートである。
【００７５】
図８のステップＳ３１において、ディスプレイ制御部１００は、タッチ座標データを受信したディスプレイ１１〜１９が、映像出力装置２０と直接接続されているか否かを判定する（ステップＳ３１）。
映像出力装置２０と直接接続されているか否かの判定方法としては、例えば、座標データ通信ケーブル４１を通じて、映像出力装置２０のタッチパネル制御部２００から送信された所定の信号をタッチパネル通信部１０６が受信したか否かによって判定する。
【００７６】
タッチ座標データを受信したディスプレイ１１〜１９が、映像出力装置２０と直接接続されている場合（ステップＳ３１の判定がＹｅｓの場合）、ディスプレイ制御部１００は、ステップＳ３２において、映像出力装置２０にタッチ座標データを送信する（ステップＳ３２）。
その後、ディスプレイ制御部１００は、別のディスプレイ１１〜１９からのタッチ座標データ受信時の処理を終了させる。
【００７７】
一方、タッチ座標データを受信したディスプレイ１１〜１９が、映像出力装置２０と直接接続されていない場合（ステップＳ３１の判定がＮｏの場合）、ディスプレイ制御部１００は、ステップＳ３３の判定を行う（ステップＳ３３）。
【００７８】
次に、ステップＳ３３において、ディスプレイ制御部１００は、直接接続された別のディスプレイ１１〜１９のうち、タッチ座標データが未受信のもの（以下、座標データ未受信ディスプレイ）が存在するか否かを判定する（ステップＳ３３）。
【００７９】
ここで、座標データ未受信ディスプレイが存在するか否かの判定方法としては、はじめに、通信部１０３がタッチ座標データを受信したとき、受信フラグを１に設定し、通信部１０３がタッチ座標データを受信していないとき、受信フラグを０に設定する。
そして、ディスプレイ制御部１００は、直接接続されたディスプレイ１１〜１９に受信フラグの送信を要求し、当該ディスプレイ１１〜１９の受信フラグが０か１かを読み取ることによって、当該ディスプレイ１１〜１９が座標データ未受信ディスプレイであるか否かを判定する。
【００８０】
ステップＳ３３において、座標データ未受信ディスプレイが存在する場合（ステップＳ３３の判定がＹｅｓの場合）、ディスプレイ制御部１００は、ステップＳ３４において、通信部１０３を制御して全ての座標データ未受信ディスプレイにタッチ座標データを送信させ（ステップＳ３４）、その後、別のディスプレイ１１〜１９からのタッチ座標データ受信時の処理を終了させる。
【００８１】
一方、座標データ未受信ディスプレイが存在しない場合（ステップＳ３３の判定がＮｏの場合）、ディスプレイ制御部１００は、ステップＳ３５において、タッチ座標データを破棄し、（ステップＳ３５）、その後、別のディスプレイ１１〜１９からのタッチ座標データ受信時の処理を終了させる。
【００８２】
次に、図２に基づき、タッチ座標データの送信処理の一例を示す。
図２に示すように、ディスプレイ１１〜１９がデイジーチェーン接続されている場合を想定する。
タッチペン３０でタッチパネル付きディスプレイ１３をタッチしたとき、タッチパネル付きディスプレイ１３から見た座標データ未受信ディスプレイは、デイジーチェーン接続によりタッチパネル付きディスプレイ１３に直接接続されたディスプレイ１２および１６となる。
それゆえ、タッチパネル付きディスプレイ１３は、ディスプレイ１２および１６の両方にタッチ座標データを送信する。
【００８３】
次に、タッチパネルなしディスプレイ１６から見た座標データ未受信ディスプレイは、デイジーチェーン接続によりタッチパネルなしディスプレイ１６に直接接続された２つのディスプレイ１３および１９のうち、タッチ座標データを未だ受信していないタッチパネルなしディスプレイ１９となる。
それゆえ、タッチパネルなしディスプレイ１６は、タッチパネルなしディスプレイ１９のみにタッチ座標データを送信する。
【００８４】
その後、タッチ座標データがタッチパネルなしディスプレイ１８を経てタッチパネルなしディスプレイ１５まで送信された場合を想定する。
このとき、デイジーチェーン接続によりタッチパネルなしディスプレイ１５に唯一直接接続されたタッチパネルなしディスプレイ１８は、タッチ座標データをすでに受信済みであるため、タッチパネルなしディスプレイ１５から見た座標データ未受信ディスプレイは存在しない。
それゆえ、タッチパネルなしディスプレイ１５は、タッチ座標データを送信せずに破棄する。
【００８５】
また、タッチ座標データがタッチパネル付きディスプレイ１２を経てタッチパネル付きディスプレイ１１まで送信された場合を想定する。
このとき、タッチパネル付きディスプレイ１１は、映像出力装置２０に直接接続されているため、映像出力装置２０にタッチ座標データを送信した後、処理を終了する。
それゆえ、デイジーチェーン接続によりタッチパネル付きディスプレイ１１に直接接続されたタッチパネルなしディスプレイ１４にはタッチ座標データは送信されない。
【００８６】
このように、各ディスプレイ１１〜１９は、別のディスプレイ１１〜１９からタッチ座標データ受信したとき、デイジーチェーン接続を通じて映像出力装置２０にタッチ座標データを送信することができる。
【００８７】
＜タッチ機能使用中の処理＞
次に、図９に基づき、タッチパネル付きディスプレイ１１〜１３のタッチ機能使用中の処理について説明する。
図９は、この発明のタッチパネル付きディスプレイ１１〜１３のタッチ機能使用中の処理を示すフローチャートである。
【００８８】
図９のステップＳ４１において、タッチパネル付きディスプレイ１１〜１３のディスプレイ制御部１００は、タッチ操作を検出したか否かを判定する（ステップＳ４１）。
タッチ操作を検出した場合（ステップＳ４１の判定がＹｅｓの場合）、ディスプレイ制御部１００は、ステップＳ４２の判定を行う（ステップＳ４２）。
一方、タッチ操作を検出していない場合（ステップＳ４１の判定がＮｏの場合）、ディスプレイ制御部１００は、タッチ操作を検出するまでステップＳ４１の判定を繰り返す（ステップＳ４１）。
【００８９】
次に、ステップＳ４２において、ディスプレイ制御部１００は、タッチパネル付きディスプレイ１１〜１３が映像出力装置２０と直接接続されているか否かを判定する（ステップＳ４２）。
タッチパネル付きディスプレイ１１〜１３が映像出力装置２０と直接接続されている場合（ステップＳ４２の判定がＹｅｓの場合）、ディスプレイ制御部１００は、ステップＳ４３において、タッチ座標データを映像出力装置２０に送信する（ステップＳ４３）。その後、ディスプレイ制御部１００は、タッチ機能使用中の処理を終了させる。
一方、タッチパネル付きディスプレイ１１〜１３が映像出力装置２０と直接接続されていない場合（ステップＳ４２の判定がＮｏの場合）、ディスプレイ制御部１００は、ステップＳ４４の判定を行う（ステップＳ４４）。
【００９０】
次に、ステップＳ４４において、ディスプレイ制御部１００は、タッチパネル付きディスプレイ１１〜１３に座標データ未受信ディスプレイが存在するか否かを判定する（ステップＳ４４）。
タッチパネル付きディスプレイ１１〜１３に座標データ未受信ディスプレイが存在する場合（ステップＳ４４の判定がＹｅｓの場合）、ディスプレイ制御部１００は、ステップＳ４５において、タッチ座標データを全ての座標データ未受信ディスプレイに送信する（ステップＳ４５）。その後、ディスプレイ制御部１００は、タッチ機能使用中の処理を終了させる。
一方、タッチパネル付きディスプレイ１１〜１３に座標データ未受信ディスプレイが存在しない場合（ステップＳ４４の判定がＮｏの場合）、ディスプレイ制御部１００は、タッチ機能使用中の処理を終了させる。
【００９１】
このように、タッチパネル付きディスプレイ１１〜１３は、タッチ操作を検出したとき、デイジーチェーン接続を通じて映像出力装置２０にタッチ座標データを送信することができる。
【００９２】
＜マルチディスプレイシステム１の動作の一例＞
次に、図１０〜図１３に基づき、この発明のマルチディスプレイシステム１の動作の一例について説明する。
図１０〜図１３は、この発明のマルチディスプレイシステム１の動作の一例を示す説明図である。
【００９３】
最初に、図１０（Ａ）に示すように、ユーザーはタッチペン３０の操作ボタン３０１を押すことによって開始操作通知を送信する。通信部１０３が開始操作通知を受信したとき、タッチパネル付きディスプレイ１１〜１３のディスプレイ制御部１００は、選択待ち状態に移行する。
【００９４】
次に、図１０（Ｂ）に示すように、ユーザーは、タッチペン３０をタッチすることによって、選択待ち状態のタッチパネル付きディスプレイ１１〜１３のうち１のタッチパネル付きディスプレイ１３を選択する。このとき、タッチパネル付きディスプレイ１３は、タッチ機能有効ディスプレイとして確定し、タッチパネル付きディスプレイ１３のエンラージ機能を解除する。
【００９５】
次に、図１０（Ｃ）に示すように、タッチパネル付きディスプレイ１３のエンラージ機能が解除されると、タッチパネル付きディスプレイ１３において、大画面全体にエンラージ表示されていた出力画像１０００が解除され、エンラージ表示されていない画像１００１がタッチパネル付きディスプレイ１３の小画面に表示される。
【００９６】
一方、タッチペン３０により選択されなかったタッチパネル付きディスプレイ１１および１２は、タッチパネル付きディスプレイ１３がタッチ機能有効ディスプレイとして確定した後も、選択待ち状態を保持する。
【００９７】
なお、タッチ機能有効ディスプレイの選択方法としては、タッチペン３０による選択操作に限定されない。例えば、指先のタッチやリモコン操作など、タッチパネル付きディスプレイを特定可能な方法であれば、他の選択方法を用いてもよい。
【００９８】
次に、図１１（Ａ）に示すように、タッチ機能有効ディスプレイとして確定したタッチパネル付きディスプレイ１１が映像出力装置２０と直接接続されている場合、ディスプレイ制御部１００は、タッチパネル付きディスプレイ１１が取得したタッチ座標データを、座標データ通信ケーブル４１を介して映像出力装置２０に送信する。
【００９９】
一方、図１１（Ｂ）に示すように、タッチ機能有効ディスプレイとして確定したタッチパネル付きディスプレイ１３が映像出力装置２０と直接接続されていない場合、ディスプレイ制御部１００は、デイジーチェーン接続を介して、図１１（Ｂ）の矢印の経路に沿って、タッチパネルなしディスプレイ１６、１９、１８および１５の順、ならびに、タッチパネル付きディスプレイ１２および１１の順に、全ての座標データ未受信ディスプレイにタッチ座標データを送信する。
【０１００】
そして、映像出力装置２０と直接接続されたタッチパネル付きディスプレイ１１がタッチ座標データを受信すると、ディスプレイ制御部１００は、座標データ通信ケーブル４１を介して映像出力装置２０にタッチ座標データを送信する。
【０１０１】
次に、図１２（Ａ）に示すように、映像出力装置２０がタッチ座標データを受信すると、タッチパネル付きディスプレイ１３のタッチペン３０で新たに描かれた追加画像１００２が映像出力装置２０から出力される画像２０００に追加画像２００１として反映される。
【０１０２】
続いて、図１２（Ｂ）に示すように、映像出力装置２０のタッチパネル制御部２００は、映像出力ケーブル４２を介して映像出力装置２０から出力される画像２０００をマルチディスプレイ１０に出力する。
その結果、タッチパネル付きディスプレイ１３の追加画像１００２を反映した追加画像１００３が、マルチディスプレイ１０の大画面全体に表示される。
【０１０３】
次に、図１３（Ａ）に示すように、ユーザーがタッチパネル付きディスプレイ１３にタッチペン３０で追加画像１００４（「Smile!」）を書き込むと、座標データ通信ケーブル４１を介して映像出力装置２０から出力される画像２０００に追加画像２００２として反映され、さらに映像出力ケーブル４２を介してマルチディスプレイ１０の表示画像に追加画像１００５として反映される。
【０１０４】
続いて、ユーザーがタッチペン３０の操作ボタン３０１を押して終了操作通知を送信すると、終了操作通知を受信したタッチパネル付きディスプレイ１１〜１３のディスプレイ制御部１００は、終了動作を行う。
その結果、図１３（Ｂ）に示すように、タッチパネル付きディスプレイ１３のエンラージ機能が解除されて、マルチディスプレイ１０の大画面全体に出力画像１０００および追加画像１００５が表示される。
【０１０５】
このようにして、タッチペン３０で追加画像を描く際に、タッチパネル付きディスプレイ１１〜１３のいずれかを選択してエンラージ機能を解除し、小画面に表示された出力画像１００１上でタッチ操作を行うことによって、ユーザーは、マルチディスプレイ１０を構成する小画面の間の額縁に制限されることなくタッチ操作を行うことが可能となる。
【０１０６】
（実施形態２）
次に、図１４〜図１６に基づき、この発明の実際形態２に係るマルチディスプレイシステム１の処理の流れについて説明する。
図１４は、この発明の実施形態２に係るタッチパネル付きディスプレイ１１〜１３の処理を示すフローチャートである。図１５は、タッチ機能有効状態変化通知処理を示すフローチャートである。図１６は、この発明の実施形態２に係る別のディスプレイ１１〜１９からのタッチ座標データ受信時の処理を示すフローチャートである。
【０１０７】
この発明の実施形態２に係るマルチディスプレイシステム１の処理は、この発明の実施形態１に係るマルチディスプレイシステム１の処理と一部のステップが異なる以外は、全て共通する。
ここでは、この発明の実施形態１に係るマルチディスプレイシステム１の処理と共通のステップについては省略し、異なるステップのみについて説明する。
図１４のステップＳ５１およびＳ５３〜Ｓ５６はそれぞれ、図５のステップＳ７〜Ｓ１１に対応する。それゆえ、図５に記載のないステップＳ５２およびＳ５７について説明する。
【０１０８】
図１４のステップＳ５１において、タッチパネル１０７のタッチ操作検出部１０７１がタッチペン３０等によるタッチ操作を検出した場合（ステップＳ５１の判定がＹｅｓの場合）、ディスプレイ制御部１００は、ステップＳ５２において、タッチ機能有効状態変化通知処理を行う（ステップＳ５２）。
タッチ機能有効状態変化通知処理の詳細については後述する。
【０１０９】
また、ステップＳ５６において、別のディスプレイからのタッチ座標データ受信時の処理をおこなった後、ディスプレイ制御部１００は、ステップＳ５７において、エンラージ機能が解除済みであり、かつ、タッチ検出時のタッチ座標データの出力が無効であるか否かを判定する（ステップＳ５７）。
【０１１０】
ステップＳ５７において、エンラージ機能が解除済みであり、かつ、タッチ検出時のタッチ座標データの出力が無効である場合（ステップＳ５７の判定がＹｅｓの場合）、ディスプレイ制御部１００は、図４のステップＳ４の判定を行う（ステップＳ４）。
一方、エンラージ機能が解除済みであり、かつ、タッチ検出時のタッチ座標データの出力が無効でない場合（ステップＳ５７の判定がＮｏの場合）、ディスプレイ制御部１００は、図６のステップＳ１２の判定を行う（ステップＳ１２）。
【０１１１】
＜タッチ機能有効状態変化通知処理＞
次に、図１５に基づき、タッチパネル付きディスプレイ１１〜１３のタッチ機能有効状態変化通知処理について説明する。
図１５は、この発明のタッチ機能有効状態変化通知処理を示すフローチャートである。
【０１１２】
図１５のステップＳ６１において、タッチパネル付きディスプレイ１１〜１３のディスプレイ制御部１００は、直接接続された別のディスプレイ１１〜１９のうち、タッチ機能有効状態変化通知が未受信のもの（以下、情報未受信ディスプレイ）が存在するか否かを判定する（ステップＳ６１）。
【０１１３】
情報未受信ディスプレイが存在する場合（ステップＳ６１の判定がＹｅｓの場合）、ディスプレイ制御部１００は、ステップＳ６２において、タッチ機能有効状態変化通知を全ての情報未受信ディスプレイに送信する（ステップＳ６２）。
一方、情報未受信ディスプレイが存在しない場合（ステップＳ６１の判定がＮｏの場合）、ディスプレイ制御部１００は、タッチ機能有効状態変化通知処理を終了させる。
【０１１４】
＜タッチパネル付きディスプレイ１１〜１３の別のディスプレイ１１〜１９からのタッチ座標データ受信時の処理＞
次に、図１６に基づき、タッチパネル付きディスプレイ１１〜１３の別のディスプレイ１１〜１９からのタッチ座標データ受信時の処理について説明する。
図１６は、タッチパネル付きディスプレイ１１〜１３の別のディスプレイ１１〜１９からのタッチ座標データ受信時の処理を示すフローチャートである。
【０１１５】
この発明の実施形態２に係るタッチパネル付きディスプレイ１１〜１３の別のディスプレイ１１〜１３からのタッチ座標データ受信時の処理は、この発明の実施形態１に係る別のディスプレイ１１〜１９からのタッチ座標データ受信時の処理と一部のステップが異なる以外は、全て共通する。
ここでは、この発明の実施形態１に係る別のディスプレイ１１〜１９からのタッチ座標データ受信時の処理と共通のステップについては省略し、異なるステップのみについて説明する。
図１６のステップＳ７２〜Ｓ７６はそれぞれ、図８のステップＳ３１〜Ｓ３５に対応する。それゆえ、図８に記載のないステップＳ７１およびＳ７７〜７９について説明する。
【０１１６】
図１６のステップＳ７１において、タッチパネル付きディスプレイ１１〜１３のディスプレイ制御部１００は、通信部１０３が受信したデータがタッチ座標データであるか否かを判定する（ステップＳ７１）。
通信部１０３が受信したデータがタッチ座標データである場合（ステップＳ７１の判定がＹｅｓの場合）、ディスプレイ制御部１００は、ステップＳ７２の判定を行う（ステップＳ７２）。
一方、通信部１０３が受信したデータがタッチ座標データでない場合（ステップＳ７１の判定がＮｏの場合）、ディスプレイ制御部１００は、タッチ機能有効状態変化通知を受信したものとして、ステップＳ７７の判定を行う（ステップＳ７７）。
【０１１７】
次に、ステップＳ７７において、ディスプレイ制御部１００は、タッチパネル付きディスプレイ１１〜１３がタッチ機能有効ディスプレイであるか否かを判定する（ステップＳ７７）。
タッチパネル付きディスプレイ１１〜１３がタッチ機能有効ディスプレイである場合（ステップＳ７７の判定がＹｅｓの場合）、ディスプレイ制御部１００は、ステップＳ７８において、タッチ検出時のタッチ座標データの出力を無効にする（ステップＳ７８）。
【０１１８】
続いて、ステップＳ７９において、ディスプレイ制御部１００は、エンラージ機能を解除する（ステップＳ７９）。
その後、ディスプレイ制御部１００は、別のディスプレイからの情報受信時の処理を終了させる。
【０１１９】
一方、タッチパネル付きディスプレイ１１〜１３がタッチ機能有効ディスプレイでない場合（ステップＳ７７の判定がＮｏの場合）、ディスプレイ制御部１００は、ステップＳ７４の判定を行う（ステップＳ７４）。
【０１２０】
このように、ステップＳ７１、Ｓ７７〜Ｓ７９の処理を追加することによって、別の選択待ち状態のタッチパネル付きディスプレイ１１〜１３がタッチ操作を検出すると、タッチ機能有効ディスプレイを切り替えることが可能になる。
【０１２１】
＜タッチ機能有効ディスプレイの切り替え動作の一例＞
最後に、図１７に基づき、タッチ機能有効ディスプレイの切り替え動作の一例について説明する。
図１７は、タッチ機能有効ディスプレイの切り替え動作の一例を示す説明図である。
【０１２２】
図１７（Ａ）において、３つのタッチパネル付きディスプレイ１１〜１３のうち、タッチパネル付きディスプレイ１１および１２が選択待ち状態にあり、タッチパネル付きディスプレイ１３がタッチ機能有効状態として確定している場合を想定する。
【０１２３】
ここで、図１７（Ｂ）に示すように、ユーザーが、選択待ち状態のタッチパネル付きディスプレイ１１および１２のうちタッチパネル付きディスプレイ１２にタッチペン３０でタッチしたものとする。
このとき、図１７（Ｃ）に示すように、タッチ操作を検出した選択待ち状態のディスプレイ１２が新たなタッチ機能有効ディスプレイとして確定するため、タッチパネル付きディスプレイ１２のエンラージ機能が解除され、画像１００１が小画面上に表示される。また、タッチ座標データの出力も有効になるため、ユーザーがタッチペン３０で描いた追加画像１００４も、映像出力装置２０の追加画像２００２として反映される。
【０１２４】
一方、もともとタッチ機能有効ディスプレイとして確定していたタッチパネル付きディスプレイ１３は、選択待ち状態に移行するため、タッチ検出による座標データの出力が無効になる。また、エンラージ機能が有効になるため、タッチパネル付きディスプレイ１３の小画面上の画像１００１の表示からマルチディスプレイ１０の大画面全体の画像１０００の表示に切り替わる。
【０１２５】
このように、ユーザーは、選択待ち状態の別のタッチパネル付きディスプレイ１１〜１３にタッチ操作するだけで、タッチ機能有効ディスプレイの切り替えが容易に実現できる。
【０１２６】
（その他の実施形態）
１．実施形態１において、２以上のタッチパネル付きディスプレイ１１〜１３を同時にタッチ機能有効ディスプレイとして確定するようにしてもよい。（実施形態３）
【０１２７】
このようにすれば、２以上のタッチパネル付きディスプレイ１１〜１３をタッチ操作することができるので、複数のユーザーが別々のディスプレイ１１〜１３に同時に描き込みすることが可能になる。
【０１２８】
２．実施形態１の図１０（Ａ）の選択操作待機状態において、タッチパネル付きディスプレイ１１〜１３本体の図示しないＬＥＤを点滅させる等の処理を行うことによって、ユーザーに選択待ち状態を報知するようにしてもよい。（実施形態４）
【０１２９】
このようにすれば、ユーザーは、どのタッチパネル付きディスプレイ１１〜１３が選択状態であるか容易に知ることができる。
【０１３０】
３．実施形態１の図８のステップＳ３３の処理の代わりに、映像出力装置２０に直接接続されたディスプレイ１１〜１９に識別用のＩＤを付すことにより、当該ディスプレイ１１〜１９に直接タッチ座標データを送信できるようにしてもよい。（実施形態５）
【０１３１】
このようにすれば、全ての座標データ未受信ディスプレイに次々とタッチ座標データを送信しなくとも、映像出力装置２０に直接接続されたディスプレイ１１〜１９に直接タッチ座標データを送信することが可能となる。
【０１３２】
以上に述べたように、
（ｉ）この発明のマルチディスプレイシステムは、複数のディスプレイを縦横に並べて複数の小画面からなる１の大画面を構成し、入力画像を前記大画面の全体に表示するマルチディスプレイ表示機能を有し、前記複数のディスプレイのうち１以上のディスプレイがタッチパネルを備えたタッチディスプレイであり、指定された前記タッチディスプレイのタッチ入力の受け付けを許可するタッチ入力許可部と、前記タッチ入力の結果に応じた前記入力画像を前記複数のディスプレイに出力する入力画像出力部と、前記複数のディスプレイのそれぞれについて、前記入力画像を前記小画面の全体に表示する通常表示を行うべきか、または前記入力画像を前記大画面の全体に表示するマルチディスプレイ表示を行うべきかを決定する表示決定部と、前記タッチ入力許可部、前記入力画像出力部および前記表示決定部を制御する制御部とを備え、前記制御部は、前記タッチディスプレイが指定されたとき、前記タッチディスプレイが前記マルチディスプレイ表示に係る前記入力画像を表示していた場合は、前記表示決定部を制御して前記タッチディスプレイに前記通常表示に係る前記入力画像を表示させ、前記タッチ入力許可部に前記タッチディスプレイのタッチ入力の受け付けを許可させ、前記入力画像出力部に前記タッチ入力の結果に応じた前記入力画像を前記複数のディスプレイに出力させることを特徴とする。
【０１３３】
この発明において、「大画面」は、複数の表示装置（ディスプレイ）を縦横に並べた全体を一つの画面と見なしたときの表現であり、「小画面」は「大画面」を構成する一以上の画面を一つの画面と見なしたときの表現である。「小画面」は「大画面」を構成する一以上のディスプレイに「大画面」と独立した内容を表示するものである。よって、「小画面」が表示されているときは、「小画面」と重複する位置に「大画面」の内容は表示されない。
「入力画像」は、複数のディスプレイに入力される動画や静止画等の画像である。
なお、入力画像は、複数のディスプレイに別々に入力する他、デイジーチェーン接続によって複数のディスプレイに順次入力するものであってもよい。
「タッチ入力許可部」は、指定されたタッチパネル付きディスプレイのタッチ入力を有効にすべきか、または無効にすべきかを決定する部分である。
具体的な指定方法としては、例えば、タッチパネル付きディスプレイの画面をタッチペン等でタッチした場合があげられる。また、リモコン等の操作によって指定してもよい。
「入力画像出力部」は、マルチディスプレイを構成する複数のディスプレイに入力画像を出力する部分である。また、タッチ入力の結果に応じた入力画像を出力する。
「タッチ入力の結果に応じた入力画像」は、例えば、タッチペンやユーザーの指先等でタッチパネルに描かれた画像またはタッチペン等により消去された画像を反映した入力画像や、タッチペン等により指定または移動したポインタ等の画像を反映した入力画像や、タッチペン等によるアイコンの操作結果を反映した入力画像などである。
「表示決定部」は、マルチディスプレイを構成するディスプレイのそれぞれについて、入力画像を小画面の全体に表示すべきか、大画面の全体に表示すべきかを決定する部分である。
【０１３４】
さらに、この発明の好ましい態様について説明する。
（ii）この発明によるマルチディスプレイシステムにおいて、予め定められたタッチ入力終了指令を受け付ける入力部をさらに備え、前記制御部は、前記タッチ入力終了指令を受け付けたとき、前記タッチ入力許可部にタッチ入力の受け付けを終了させ、前記表示決定部を制御して前記タッチディスプレイに前記マルチディスプレイ表示に係る前記入力画像を表示させるものであってもよい。
【０１３５】
このようにすれば、予め定められたタッチ入力終了指令により、タッチ入力の結果を確定し、かつ、タッチ入力の結果を反映した入力画像の小画面の全体への表示を解除し、大画面の全体への表示にもどすマルチディスプレイシステムを実現できる。
【０１３６】
「入力部」は、ユーザーからの指令を受け付ける部分である。例えば、タッチペン等のボタンを操作することによって発信された無線信号を受信することによって指令を受け付ける。
また、リモコンやディスプレイの操作部の操作による指令を受け付けるものであってもよい。
また、ユーザーからの指令に限らず、予め定められた時間を経過したときに終了指令を受け付けるようにしてもよい。
【０１３７】
（iii）この発明によるマルチディスプレイシステムにおいて、前記複数のディスプレイのうち２以上のディスプレイがタッチディスプレイである場合において、前記タッチ入力許可部が前記タッチディスプレイのタッチ入力の受け付けを許可した後、別の前記タッチディスプレイが新たに指定されたとき、前記制御部は、前記タッチ入力許可部を制御して、前記タッチ入力の受け付けを許可した前記タッチディスプレイのタッチ入力の受け付けを終了させ、新たに指定された前記タッチディスプレイのタッチ入力の受け付けを許可させるものであってもよい。
【０１３８】
このようにすれば、タッチ入力が有効なタッチパネル付きディスプレイを指定によって手軽に切り替えることができるマルチディスプレイシステムを実現することができる。
【０１３９】
（iv）この発明によるマルチディスプレイシステムにおいて、前記タッチ入力の受け付けが可能な前記タッチディスプレイを報知する報知部をさらに備えたものであってもよい。
【０１４０】
このようにすれば、マルチディスプレイを構成するディスプレイのうち、どのディスプレイがタッチ入力の受け付け可能なタッチパネル付きディスプレイか把握できるマルチディスプレイシステムを実現できる。
【０１４１】
「報知部」は、タッチ入力の受け付けが可能なタッチパネル付きディスプレイをユーザーに報知する部分である。例えば、ディスプレイ本体をＬＥＤ等で点滅したり、予め定められた画像情報をＯＳＤ表示（On-Screen Display）したりすることによって、タッチ入力の受付が可能なタッチパネル付きディスプレイをユーザーに報知する。また、ディスプレイ画面上への画像情報の表示に限定されず、音声による報知であってもよい。
また、予め定められた開始信号を受信したときに、タッチ入力の受け付けが可能なタッチパネル付きディスプレイをユーザーに報知するようにしてもよい。
【０１４２】
（ｖ）前記マルチディスプレイを構成するディスプレイであってもよい。
【０１４３】
このようにすれば、マルチディスプレイを構成したときに、タッチ入力時に指定したタッチパネル付きディスプレイのマルチディスプレイ表示を解除してタッチ入力し、タッチ入力後にマルチディスプレイ表示に戻すことによって、マルチディスプレイを構成する小画面でのタッチ入力を可能にしつつ、マルチディスプレイの大画面にタッチ入力結果を反映させるディスプレイを実現できる。
【０１４４】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【０１４５】
１：マルチディスプレイシステム、    １０：マルチディスプレイ、    １１〜１３：タッチパネル付きディスプレイ、    １４〜１９：タッチパネルなしディスプレイ、    ２０：映像出力装置、    ３０：タッチペン、    ４１：座標データ通信ケーブル、    ４２：映像出力ケーブル、    １００：ディスプレイ制御部、    １０１：記憶部、    １０２：表示部、    １０３：通信部、    １０４：操作部、    １０５：映像入出力部、    １０６：タッチパネル通信部、    １０７：タッチパネル、    ２００：タッチパネル制御部、    ２０１：映像出力部、    ３０１：操作ボタン、    ３０２：無線送信部    １０００，１００１，２０００：画像、    １００２〜１００５，２００１，２００２：追加画像、    １０７１：タッチ操作検出部、    １０７２：タッチ座標データ取得部、    １０７３：タッチ座標データ出力部
【図１】
0006392573.tif 000002
【図２】
0006392573.tif 000003
【図３】
0006392573.tif 000004
【図４】
0006392573.tif 000005
【図５】
0006392573.tif 000006
【図６】
0006392573.tif 000007
【図７】
0006392573.tif 000008
【図８】
0006392573.tif 000009
【図９】
0006392573.tif 000010
【図１０】
0006392573.tif 000011
【図１１】
0006392573.tif 000012
【図１２】
0006392573.tif 000013
【図１３】
0006392573.tif 000014
【図１４】
0006392573.tif 000015
【図１５】
0006392573.tif 000016
【図１６】
0006392573.tif 000017
【図１７】
0006392573.tif 000018